(57)【要約】【課題】形態安定性、弾力性、保温性、通気性に優れた嵩高蜂巣織物とその製造方法を提供する。【解決手段】蜂巣織物を二重以上の多重織にする。多重織の層間に配設した接結糸２によって、互いに対向する蜂巣織物１の格子状凹部１ａの開口側縁部を交絡接合３する。【選択図】図１
2020029625.tif 000002
【特許請求の範囲】
【請求項１】
蜂巣織物を二重以上の多重織にすると共に、前記多重織の層間において所定間隔で配設した経糸及び／又は緯糸による接結糸によって、互いに対向する蜂巣織物の格子状凹部の開口側縁部を交絡接合したことを特徴とする嵩高蜂巣織物。
【請求項２】
前記接結糸に、伸縮糸、収縮糸または熱融着糸を所定割合で挿入したことを特徴とする請求項１の嵩高蜂巣織物。
【請求項３】
前記接結糸として使用する前記経糸又は緯糸に対する前記伸縮糸、収縮糸または熱融着糸の挿入割合を、１０％〜９０％にしたことを特徴とする請求項２の嵩高蜂巣織物。
【請求項４】
前記接結糸をマルチフィラメント糸にすると共に、当該マルチフィラメント糸と平行に延びた前記蜂巣織物の経糸及び／又は緯糸に熱収縮糸を含有させ、当該熱収縮糸を熱収縮させたことを特徴とする請求項１から３のいずれか１項の嵩高蜂巣織物。
【請求項５】
請求項２から４のいずれか１の嵩高蜂巣織物を製造する方法であって、前記接結糸に収縮糸を使用する場合、当該収縮糸の方向で織密度を疎にした織組織を織成し、当該織組織を熱処理することにより前記収縮糸を熱収縮させて前記収縮糸の方向で収縮することで織密度を密にすることを特徴とする嵩高蜂巣織物を製造する方法。
【発明の詳細な説明】
【技術分野】
【０００１】
本発明は、嵩高蜂巣織物とその製造方法に関する。
【背景技術】
【０００２】
織物の嵩高性と保温性を増大するために、一般に二重織や三重織などの多重織が使用される。一方、嵩高織物の一つに蜂巣織物が知られている（例えば特許文献１参照）。この蜂巣織物は四角錐が平面方向で縦横に連続した格子状凹凸構造を有し、嵩高性と通気性を兼ね備える。
【先行技術文献】
【特許文献】
【０００３】
【特許文献１】特開２０００−３４６４２号公報
【発明の概要】
【発明が解決しようとする課題】
【０００４】
蜂巣織物は嵩高性と通気性を兼ね備えるが、単層では弾力性と保温性に限界があった。このため特に寝具の敷物としては不適であった。そこで、本発明者は蜂巣織物を多重織にすれば嵩高性と通気性に加えて良好な弾力性と保温性も得られると考えて二重蜂巣織物を試作した。
【０００５】
しかし、試作の結果、単に二重織にしただけでは、保温性はある程度増大できても弾力性と形態安定性が不十分であることが分かった。すなわち、二重蜂巣織物にしても各層の弾力性と形態安定性は単層のそれと変わらないので、嵩高になった分だけ外圧に対しては弱くなって弾力性と形態安定性が損なわれるのである。このため、二重蜂巣織物ないし多重蜂巣織物を寝具の敷物やマットレスとして使用した場合は、早期のへたりが発生して不快な床付き感が出ることが予想される。
【０００６】
そこで本発明は上記の課題に鑑みなされたものであって、弾力性と形態安定性を高めた嵩高蜂巣織物とその製造方法を提供することを目的とする。
【課題を解決するための手段】
【０００７】
本発明の嵩高蜂巣織物は、蜂巣織物を二重以上の多重織にすると共に、前記多重織の層間において所定間隔で配設した経糸及び／又は緯糸による接結糸によって、互いに対向する蜂巣織物の格子状凹部の開口側縁部を交絡接合したことを特徴とする。
【発明の効果】
【０００８】
本発明は、多重織の層間に配設した接結糸によって蜂巣織物の格子状凹部の開口側縁部を交絡接合したので、当該接結糸によって格子状凹部の弾力性と形態安定性、ひいては嵩高蜂巣織物の弾力性と形態安定性を高めることができる。
【図面の簡単な説明】
【０００９】
【図１】本発明の一実施形態に係る二重蜂巣織物の概略断面図である。
【図２】図１の二重蜂巣織物の完全意匠図である。
【図３】（ａ）は単層蜂巣織物の概略断面図、（ｂ）はその完全意匠図である。
【図４】比較例としての接結糸を使用しない二重蜂巣織物の概略断面図である。
【図５】本発明の別の実施形態に係る三重蜂巣織物の概略断面図である。
【図６】本発明の一実施形態に係る二重蜂巣織物の斜視図である。
【図７】本発明の一実施形態に係る二重蜂巣織物の拡大斜視図である。
【図８】本発明の一実施形態に係る二重蜂巣織物の拡大平面図である。
【図９】本発明の一実施形態に係る二重蜂巣織物の裏面側斜視図である。
【図１０】本発明の一実施形態に係る二重蜂巣織物の接結糸を示す拡大斜視図である。
【図１１】本発明の一実施形態に係る二重蜂巣織物の試作品の織物設計書である。
【発明を実施するための形態】
【００１０】
以下、本発明の実施形態を添付図面を参照して説明する。但し、以下の実施形態は本発明の理解を容易にするための好適例にすぎず、本発明はこの実施形態に限定されるものではない。
【００１１】
図１は本発明の一実施形態に係る二重蜂巣織物１０の概略断面図を示したものである。この蜂巣織物１０は嵩高性、形態安定性、弾力性、保温性および通気性を生かして、寝具（掛物、敷物）、タオル、アパレル関係の他、産業資材等にも広く使用可能である。
【００１２】
二重蜂巣織物１０の上層と下層の蜂巣織物１の間には接結糸２が配設されている。この接結糸２は、図２の完全意匠図において斜線枠の１６番緯糸と３３番緯糸で示されている。１６番と３３番の緯糸接結糸２は、織組織の基本パターンを構成する緯糸とは異なる緯糸として、緯糸所定本数ごと（図２では１６本ごと）に１本の割合で追加挿入されている。
【００１３】
接結糸２は、蜂巣織物１の格子状凹部１ａの開口側縁部を通る経糸１本と交絡接合３している。接結糸２は経糸２本以上と交絡接合３してもよい。これにより、各格子状凹部１ａの開口幅と、平面方向で隣接する格子状凹部１ａ相互間隔が拡大するのが接結糸２によって規制され、二重蜂巣織物１０の嵩高性、形態安定性および弾力性が維持増進される。
【００１４】
図３の（ａ）は、二重蜂巣織物１０の上層と下層に使用される蜂巣織物１の概略断面で、（ｂ）はその完全意匠図である。この図３（ｂ）に示すように、蜂巣織物１の格子状凹凸は１６本の経糸と緯糸を一組として構成されている（１６枚蜂巣）。
【００１５】
図１と図３の織物厚さを比べると、図１の二重蜂巣織物１０は図３に比べて二倍の厚み（嵩高性）があり、その分弾力性に富む。また、上下の蜂巣織物１の格子状凹部１ａが互いに対向してその内側に空気が閉じ込められるので、この閉じ込められた空気の断熱作用により単層の蜂巣織物に比べて保温性にも富む。
【００１６】
接結糸２としては伸縮糸、収縮糸、熱融着糸を使用したり、あるいはこれらの糸と通常の糸とを混用することも可能であり、さらに特徴のある多重蜂巣織物を提供することも可能である。接結糸２を伸縮糸や収縮糸にした場合、上下の蜂巣織物１の格子状凹部１ａの開口側縁部辺々を伸縮または収縮させることができる。また接結糸２を熱融着糸にした場合は、上下の蜂巣織物１の構成糸との結合力が増大して、二重蜂巣織物１０の格子状凹凸の形態安定性がさらに高まり、より安定した立体織物構造が得られる。
【００１７】
蜂巣織物１の格子状凹凸構造（四角錐構造）は接結糸２によって機構力学的に安定化（トラス化）され、このため上部からの荷重に強く、寝具の敷物（マットレス）として使用した場合は優れた体圧分散効果が得られる。
【００１８】
図６〜図１０は本発明の二重蜂巣織物１０の試作品の写真である。二重蜂巣織物１０の表裏は、図８と図９から分かるように同一織組織である。また図１０から接結糸２によって表裏の蜂巣織物１が交絡接合３されていることがわかる。
【００１９】
図１１は前述した二重蜂巣織物１０の試作品の織物設計書である。この織物設計書に記載のように経糸には綿糸による１６番手の双糸を使用し、緯糸にはアクリルバルキー糸（熱収縮糸）による３０番手の三子糸を使用している。また接結糸にはポリエステル糸のマルチフィラメント糸（伸縮糸、４００ｄ、１３．３番手）を使用している。
【００２０】
そして織り上がった試作品をスチーマに通してアクリルバルキー糸の緯糸を熱収縮（緯幅２ｍ→１ｍ）させた。この熱収縮によりマルチフィラメント糸の接結糸が弛みで膨らんで太くなると共に、上下の蜂巣織物の経糸との絡み角（交絡する経糸を頂点とするＶ字状接結糸の角度）が深くなる。この結果、接結糸の膨らみによる弾力性増大と、上下の蜂巣織物の接結力増大により、二重蜂巣織物１０全体としての形態安定性と弾力性が大幅に向上する。
【００２１】
以上、本発明の実施形態について説明したが、本発明はこれらに限られることなく種々の変形が可能である。例えば前記実施形態の嵩高蜂巣織物は二重としたが、図５のように三重或いはそれ以上の多重としてもよい。また前記実施形態では接結糸を緯糸方向に挿入したが、当該接結糸は経糸方向あるいは経糸と緯糸の両方向に挿入することも可能である。
【００２２】
また接結糸２に対し伸縮糸、収縮糸または熱融着糸を所定割合（例えば１０％〜９０％）で挿入してもよい。収縮糸の場合は、その糸使いの方向で織組織の織密度を簡単に向上させることができる。
【符号の説明】
【００２３】
１：蜂巣織物
１ａ：格子状凹部
２：接結糸
３：交絡接合
１０：二重蜂巣織物
【図１】
2020029625.tif 000003
【図２】
2020029625.tif 000004
【図３】
2020029625.tif 000005
【図４】
2020029625.tif 000006
【図５】
2020029625.tif 000007
【図６】
2020029625.tif 000008
【図７】
2020029625.tif 000009
【図８】
2020029625.tif 000010
【図９】
2020029625.tif 000011
【図１０】
2020029625.tif 000012
【図１１】
2020029625.tif 000013